(57)【特許請求の範囲】
【請求項１】
筐体に対して回動自在に配置された円形輪郭をなす回転体と、前記回転体を回転駆動する駆動手段とを備えるからくり時計であって、
前記駆動手段により、前記回転体が所定回転角度位置に達したことを検知する検知手段を有し、
前記検知手段は、前記筐体に対して固定された所定支持軸回りに揺動自在に配置されて一端部に係合ピンを設ける揺動アームと、前記所定回転角度位置にて前記揺動アームの前記係合ピンに係止させるように前記回転体の外周縁部に形成され、径方向外側に向けてテーパ状に拡開するテーパ状凹部を有す係止部と、前記回転体に対して揺動自在に支持されて前記係合ピンを前記テーパ状凹部の略中央部に案内する案内用揺動レバーと、前記係合ピンが前記係止部にて係止された状態で前記揺動アームの他端部により作動させられて前記駆動手段の作動を制御するスイッチとを有する、
ことを特徴とするからくり時計。
【請求項２】
開閉自在に配置されかつ所定軸を通る線にて分割された複数の分割片により形成される開閉蓋体を備えるからくり時計であって、
前記開閉蓋体を形成する分割片を自転及び前記所定軸回りに公転させつつ開閉動作を行なわせる開閉駆動手段と、
前記開閉駆動手段により、前記開閉蓋体が閉状態にある休止位置から開状態にある動作位置に移動させられ再び前記休止位置に復帰したことを検知する検知手段と、
を有することを特徴とするからくり時計。
【請求項３】
前記開閉駆動手段は、前記所定軸と同軸にて筐体に対し回動不能に固定された太陽歯車と、前記太陽歯車に噛合する遊星歯車と、前記遊星歯車の回転中心部に一端部が固定されかつ他端部が前記回転中心部から偏倚した位置にて前記分割片に回動自在に連結された連結部材と、前記所定軸回りに回動自在に配置されかつ前記遊星歯車を回動自在に支持する円形輪郭をなす支持部材と、前記支持部材を前記所定軸回りに回動させる駆動源とからなり、
前記検知手段は、前記筐体に対して固定された所定支持軸回りに揺動自在に配置された揺動アームと、前記休止位置にて前記揺動アームの一端部を係止させるように前記支持部材の外周縁部に形成された係止部と、前記揺動アームの一端部が前記係止部にて係止された状態で前記揺動アームの他端部により作動させられて前記駆動手段の作動を制御するスイッチとからなる、
ことを特徴とする請求項２記載のからくり時計。
【請求項４】
前記揺動アームの一端部には係合ピンが設けられ、前記支持部材に形成された係止部は、径方向外側に向けてテーパ状に拡開するテーパ状凹部である、
ことを特徴とする請求項３記載のからくり時計。
【請求項５】
前記検知手段は、前記支持部材に対して揺動自在に支持されて前記係合ピンを前記テーパ状凹部の略中央部に案内する案内用揺動レバーを有する、
ことを特徴とする請求項４記載のからくり時計。
【請求項６】
前記開閉蓋体が前記休止位置に復帰して閉状態となる際に、前記開閉蓋体を形成する分割片同士の分割面の位置決めをする位置決め手段を有する、
ことを特徴とする請求項２ないし５いずれか１つに記載のからくり時計。
【請求項７】
前記開閉蓋体が文字板であり、前記所定軸が指針の回転軸と同軸である、
ことを特徴とする請求項２ないし６いずれか１つに記載のからくり時計。
【請求項８】
開閉自在に配置されかつ所定軸を通る線にて分割された複数の分割片により形成される開閉蓋体を備えるからくり時計であって、
前記開閉蓋体を形成する分割片を自転及び前記所定軸回りに公転させつつ開閉動作を行なわせる開閉駆動手段と、
前記開閉駆動手段の作動により、前記開閉蓋体が閉状態にある休止位置から開状態にある動作位置に移動させられ再び前記休止位置の直前位置に復帰したことを検知する第１検知手段と、
前記第１検知手段の検知信号に基づいて停止させられた前記駆動開閉手段を再び作動させて前記開閉蓋体を前記休止位置まで復帰させる制御信号を発する制御手段と、
を有することを特徴とするからくり時計。
【請求項９】
前記開閉駆動手段の作動により、前記開閉蓋体が閉状態にある休止位置から所定角度公転した展開位置に達したことを検知する第２検知手段を有する、
ことを特徴とする請求項８記載のからくり時計。
【請求項１０】
前記開閉駆動手段の作動により、前記開閉蓋体が閉状態にある休止位置から所定角度公転した展開位置に達したことを検知する第２検知手段と、
前記第２検知手段の検知信号に基づき、前記開閉駆動手段の惰性による駆動力を消滅させて前記開閉蓋体を所定位置に強制的に停止させる強制停止手段と、
を有することを特徴とする請求項８記載のからくり時計。
【請求項１１】
前記開閉駆動手段は、前記所定軸と同軸にて筐体に対し回動不能に固定された太陽歯車と、前記太陽歯車に噛合する遊星歯車と、前記遊星歯車の回転中心部に一端部が固定されかつ他端部が前記回転中心部から偏倚した位置にて前記分割片に回動自在に連結された連結部材と、前記所定軸回りに回動自在に配置されかつ前記遊星歯車を回動自在に支持する円形輪郭をなす支持部材と、前記支持部材を前記所定軸回りに回動させる駆動源とからなる、
ことを特徴とする請求項８ないし１０いずれか１つに記載のからくり時計。
【請求項１２】
前記駆動源は、駆動歯車を備えたモータと、前記駆動歯車に噛合した歯車列とを有し、
前記歯車列のうち少なくとも２つの歯車間には、歯車の回転を阻止する所定以上の負荷が加わった際に相対的なスリップを生じさせるスリップ機構が設けられている、
ことを特徴とする請求項１１記載のからくり時計。
【請求項１３】
前記駆動源は、駆動歯車を備えたモータと、前記駆動歯車に噛合した歯車列とを有し、
前記強制停止手段は、前記モータに逆起電力を加える制御手段からなる、
ことを特徴とする請求項１１記載のからくり時計。
【請求項１４】
前記第１検知手段は、前記筐体に対して固定された所定支持軸回りに揺動自在に配置された第１揺動アームと、前記休止位置の直前位置にて前記第１揺動アームの一端部を係止させるように前記支持部材の外周縁部に形成された係止部と、前記第１揺動アームの一端部が前記係止部にて係止された状態で前記第１揺動アームの他端部により作動させられて前記開閉駆動手段の作動を制御する第１スイッチとからなり、
前記第２検知手段は、前記筐体に対して固定された所定支持軸回りに揺動自在に配置された第２揺動アームと、前記展開位置にて前記第２揺動アームの一端部を係止させるように前記支持部材の外周縁部に形成された係止部と、前記第２揺動アームの一端部が前記係止部にて係止された状態で前記第２揺動アームの他端部により作動させられて前記開閉駆動手段の作動を制御する第２スイッチとからなる、
ことを特徴とする請求項９ないし１３いずれか１つに記載のからくり時計。
【請求項１５】
前記第１揺動アーム及び第２揺動アームの一端部には係合ピンが設けられ、
前記支持部材に形成された係止部は、径方向外側に向けてテーパ状に拡開するテーパ状凹部である、
ことを特徴とする請求項１４記載のからくり時計。
【請求項１６】
前記開閉蓋体が文字板であり、前記所定軸が指針の回転軸と同軸である、
ことを特徴とする請求項８ないし１５いずれか１つに記載のからくり時計。
【発明の詳細な説明】
【０００１】
【発明の属する技術分野】
本発明は、からくり時計に関し、特に、所定の時刻になると文字板等を移動させて背後に収納された人形等の装飾体を出現させるからくり時計に関する。
【０００２】
【従来の技術】
時計の文字板を複数の分割片により構成し、例えば正時になると、この複数の分割片を分離するように移動させて、その背後に収容された人形などの装飾体を出現させ、音楽に合わせてこの装飾体を作動させるようなからくり時計が開発され製品化されている。
【０００３】
このようなからくり時計としては、例えば特公平８−１０２５６号公報、特開平８−６８８７０号公報等に開示されたものが存在する。この特公平８−１０２５６号公報に開示のからくり時計は、文字板を複数に分割された略扇状の素片により形成し、所定の時刻になると、これらの素片を回動させて花弁状に広がらせるようにし、この文字板の背後に収納された人形等の装飾体を目視できるようにしたものである。上記分割された文字板のそれぞれの素片を回動させる駆動機構としては、外周に歯が形成されたリング状のラック、このラックに噛み合うようにラックの径方向外側に配置された複数の歯車等を設け、この複数の歯車の回転軸にそれぞれの素片を固定して、ラックを駆動モータにより駆動することにより、素片を開閉自在に回動させるように構成している。
【０００４】
また、特開平８−６８８７０号公報に開示のからくり時計は、文字板を上下に２分割できるように形成し、所定の時刻になると、この文字板を上下にそれぞれ分離させて、その文字板の背後に収容された人形等の装飾体を目視できるようにしたものである。
【０００５】
【発明が解決しようとする課題】
ところで、上記特公平８−１０２５６号公報に開示のからくり時計においては、分割された文字板のそれぞれの素片を回動させる駆動機構として、外周に歯が形成されたリング状のラック、このラックに噛み合うようにラックの径方向外側に配置された複数の歯車等を採用していることから、径方向において時計全体が大型化し、部品の集約化が困難であるという問題があった。
【０００６】
また、回動させられて開いた状態にある文字板のそれぞれの素片は、回転軸により支持されるのみであり、前後方向におけるガタツキすなわちあおり等を生じる場合があるという問題があった。
さらに、文字板を形成するそれぞれの素片の移動範囲としては、固定された回転軸回りに回動する範囲であるため、それ程目立つものでもなく、動的変化の意外性という面では、若干迫力に欠けるという問題があった。
【０００７】
また、上記特開平８−６８８７０号公報に開示のからくり時計においても、上下に２分割された文字板は、単に上下に分離移動するだけであるため、内部の装飾体を出現させることはできるものの、外観の変化として強い印象を及ぼすものではなく、同様に変化の意外性に乏しいという問題があった。
【０００８】
本発明は、上記従来の問題点に鑑みて成されたものであり、その目的とするところは、構造の簡略化、部品点数の削減等を図りつつ、装飾体の前方を開閉する文字板等の動的変化の意外性に富んでより優れた鑑賞性を与えることができ、その開閉時における文字板等の位置決め等を確実高精度に行なえるからくり時計を提供することにある。
【０００９】
【課題を解決するための手段】
本発明者は、上記目的を達成するべく鋭意検討を重ねた結果、以下の如き構成をなす発明を見出すに至った。
すなわち、本発明のからくり時計は、筐体に対して回動自在に配置された円形輪郭をなす回転体と、前記回転体を回転駆動する駆動手段とを備えるからくり時計であって、前記駆動手段により、前記回転体が所定回転角度位置に達したことを検知する検知手段を有し、前記検知手段は、前記筐体に対して固定された所定支持軸回りに揺動自在に配置されて一端部に係合ピンを設ける揺動アームと、前記所定回転角度位置にて前記揺動アームの前記係合ピンに係止させるように前記回転体の外周縁部に形成され、径方向外側に向けてテーパ状に拡開するテーパ状凹部を有す係止部と、前記回転体に対して揺動自在に支持されて前記係合ピンを前記テーパ状凹部の略中央部に案内する案内用揺動レバーと、前記係合ピンが前記係止部にて係止された状態で前記揺動アームの他端部により作動させられて前記駆動手段の作動を制御するスイッチとを有する、ことを特徴としている。
この構成においては、駆動手段により回転体が回転させられて、回転体が所定回転角度位置近傍に達すると、検知手段を構成する案内用揺動レバーにより揺動アームの一端部に設ける係合ピンが案内され、所定回転角度位置に達すると、係合ピンが回転体の外周縁部に形成されたテーパ状凹部のテーパ面に係合しつつ滑らかにその凹部領域に至ってテーパ状凹部の略中央部に位置付けられ、揺動アームの他端部がスイッチに作用して、駆動手段による回転体の駆動を停止させる。
【００１２】
また、本発明のからくり時計は、開閉自在に配置されかつ所定軸を通る線にて分割された複数の分割片により形成される開閉蓋体を備えるからくり時計であって、上記開閉蓋体を形成する分割片を自転及び上記所定軸回りに公転させつつ開閉動作を行なわせる開閉駆動手段と、この開閉駆動手段により、上記開閉蓋体が閉状態にある休止位置から開状態にある動作位置に移動させられ再び上記休止位置に復帰したことを検知する検知手段と、を有することを特徴としている。
この構成においては、例えば正時等の所定時刻に、開閉蓋体が開閉駆動手段により駆動されて、この開閉蓋体を形成する分割片が自転しつつ所定軸回りに公転して開閉動作を行なう際に、検知手段により、上記開閉蓋体が閉状態にある休止位置から開状態にある動作位置に移動させられ再び上記休止位置に復帰したことが検知され、開閉蓋体の動作が停止する。
【００１３】
上記構成のからくり時計においては、上記開閉駆動手段が、上記所定軸と同軸にて筐体に対し回動不能に固定された太陽歯車と、この太陽歯車に噛合する遊星歯車と、この遊星歯車の回転中心部に一端部が固定されかつ他端部が上記回転中心部から偏倚した位置にて上記分割片に回動自在に連結された連結部材と、上記所定軸回りに回動自在に配置されかつ上記遊星歯車を回動自在に支持する円形輪郭をなす支持部材と、この支持部材を上記所定軸回りに回動させる駆動源とからなり、上記検知手段が、筐体に対して固定された所定支持軸回りに揺動自在に配置された揺動アームと、上記休止位置にて上記揺動アームの一端部を係止させるように上記回転体の外周縁部に形成された係止部と、上記揺動アームの一端部が上記係止部にて係止された状態で上記揺動アームの他端部により作動させられて上記駆動手段の作動を制御するスイッチとからなる、構成を採用することができる。
この構成においては、駆動源により支持部材が回転させられると、太陽歯車に噛み合った遊星歯車が回転しつつ太陽歯車の回りを公転し、この遊星歯車と共に連結部材も回転し、この連結部材と連結された分割片は、自転すると共に支持部材の回転中心回りに公転して開閉動作を行なう。また、上記開閉駆動手段により支持部材が回転させられて、所定回転角度位置に達すると、検知手段を構成する揺動アームの一端部が支持部材の外周縁部に形成された係止部に係止され、揺動アームの他端部がスイッチに作用して、開閉駆動手段による支持部材の駆動を停止させる。
【００１４】
上記構成のからくり時計においては、上記揺動アームの一端部には係合ピンが設けられ、上記支持部材に形成された係止部は、径方向外側に向けてテーパ状に拡開するテーパ状凹部である、構成を採用することができる。
この構成においては、支持部材が所定回転角度位置に達すると、係合ピンがテーパ状凹部のテーパ面に係合しつつ滑らかにその凹部領域に至る。
【００１５】
上記構成のからくり時計においては、上記検知手段が、上記支持部材に対して揺動自在に支持されて上記係合ピンを上記テーパ状凹部の略中央部に案内する案内用揺動レバーを有する、構成を採用することができる。
この構成においては、支持部材が所定回転角度位置近傍に達すると、この案内用揺動レバーにより係合ピンが案内され、所定回転角度位置に達したときに、テーパ状凹部の略中央部に位置付けられる。
【００１６】
上記構成のからくり時計においては、上記開閉蓋体が、上記休止位置に復帰して閉状態となる際に、上記開閉蓋体を形成する分割片同士の分割面の位置決めをする位置決め手段を有する、構成を採用することができる。
この構成においては、上記開閉蓋体が上記休止位置に復帰して閉状態となる際に、この位置決め手段により、分割片同士の分割面の位置決めが行なわれる。
【００１７】
上記構成のからくり時計においては、上記開閉蓋体として文字板を採用し、上記所定軸として指針の回転軸と同軸を採用する、構成とすることができる。
この構成においては、文字板が上記のような開閉動作を行ない、例えばその背後に装飾体が収納されている場合、この装飾体を出現させる。
【００１８】
さらに、本発明のからくり時計は、開閉自在に配置されかつ所定軸を通る線にて分割された複数の分割片により形成される開閉蓋体を備えるからくり時計であって、上記開閉蓋体を形成する分割片を自転及び上記所定軸回りに公転させつつ開閉動作を行なわせる開閉駆動手段と、この開閉駆動手段の作動により、上記開閉蓋体が閉状態にある休止位置から開状態にある動作位置に移動させられ再び上記休止位置の直前位置に復帰したことを検知する第１検知手段と、この第１検知手段の検知信号に基づいて停止させられた上記駆動開閉手段を再び作動させて開閉蓋体を上記休止位置まで復帰させる制御信号を発する制御手段と、を有することを特徴としている。
この構成においては、例えば正時等の所定時刻に、開閉蓋体が開閉駆動手段により駆動されて、この開閉蓋体を形成する分割片が自転しつつ所定軸回りに公転して開閉動作を行なう際に、第１検知手段により、上記開閉蓋体が閉状態にある休止位置から開状態にある動作位置に移動させられ再び上記休止位置の直前位置に復帰したことが検知されて、開閉駆動手段の駆動が停止される。と同時に、制御手段により制御信号が発せられて駆動開閉手段が再び作動し、開閉蓋体が上記休止位置まで復帰したとき、この制御手段による開閉蓋体の動作が停止する。
【００１９】
上記構成のからくり時計において、上記開閉駆動手段の作動により、開閉蓋体が閉状態にある休止位置から所定角度公転した展開位置に達したことを検知する第２検知手段を有する、構成を採用することができる。
この構成においては、例えば、モード切り替えスイッチ等により、正時モードから展示モードに切り替えられると、開閉蓋体が開閉駆動手段により駆動されて、この開閉蓋体が所定角度例えば１８０°公転した展開位置に達したとき、そのことを第２検知手段が検知して、開閉駆動手段の駆動動作が停止する。
【００２０】
また、上記構成のからくり時計において、上記開閉駆動手段の作動により、開閉蓋体が閉状態にある休止位置から所定角度公転した展開位置に達したことを検知する第２検知手段と、この第２検知手段の検知信号に基づき、上記開閉駆動手段の惰性による駆動力を消滅させて開閉蓋体を所定位置に強制的に停止させる強制停止手段と、を有する構成を採用することができる。
この構成においては、例えば、モード切り替えスイッチ等により、正時モードから展示モードに切り替えられると、開閉蓋体が開閉駆動手段により駆動されて、この開閉蓋体が所定角度例えば１８０°公転した展開位置に達したとき、そのことを第２検知手段が検知して、開閉駆動手段の動作が停止する。と同時に、強制停止手段が作用して、開閉駆動手段の惰性による駆動力が消滅させられる。これにより、開閉蓋体が所望の展開位置に確実に位置決めされる。
【００２１】
上記構成のからくり時計において、上記開閉駆動手段が、上記所定軸と同軸にて筐体に対し回動不能に固定された太陽歯車と、この太陽歯車に噛合する遊星歯車と、この遊星歯車の回転中心部に一端部が固定されかつ他端部が上記回転中心部から偏倚した位置にて上記分割片に回動自在に連結された連結部材と、上記所定軸回りに回動自在に配置されかつ上記遊星歯車を回動自在に支持する円形輪郭をなす支持部材と、この支持部材を上記所定軸回りに回動させる駆動源とからなる、構成を採用することができる。
この構成においては、駆動源により支持部材が回転させられると、太陽歯車に噛み合った遊星歯車が回転しつつ太陽歯車の回りを公転し、この遊星歯車と共に連結部材も回転し、この連結部材と連結された分割片は、自転すると共に支持部材の回転中心回りに公転して開閉動作を行なう。
【００２２】
また、上記構成のからくり時計において、上記駆動源が、駆動歯車を備えたモータと、駆動歯車に噛合した歯車列とを有し、この歯車列のうち少なくとも２つの歯車間には、歯車の回転を阻止する所定以上の負荷が加わった際に相対的なスリップを生じさせるスリップ機構が設けられた構成を採用することができる。
この構成においては、歯車列の回転を阻止するような負荷が加わると、スリップ機構が作用して歯車間に相対的なスリップを生じさせる。
【００２３】
さらに、上記構成のからくり時計において、上記駆動源が、駆動歯車を備えたモータと、駆動歯車に噛合した歯車列とを有し、上記強制停止手段が、モータに逆起電力を加える制御手段からなる、構成を採用することができる。
この構成においては、開閉蓋体が開閉駆動手段により駆動されて、この開閉蓋体が所定角度例えば１８０°公転した展開位置に達したとき、制御手段によりモータに対して逆起電力が加えられ、開閉駆動手段は惰性により回転することなく所定の位置に停止させられる。これにより、開閉蓋体が所望の展開位置に確実に位置決めされる。
【００２４】
上記構成のからくり時計において、上記第１検知手段が、筐体に対して固定された所定支持軸回りに揺動自在に配置された第１揺動アームと、上記休止位置の直前位置にてこの第１揺動アームの一端部を係止させるように支持部材の外周縁部に形成された係止部と、第１揺動アームの一端部がこの係止部にて係止された状態で第１揺動アームの他端部により作動させられて上記開閉駆動手段の作動を制御する第１スイッチとからなり、上記第２検知手段が、筐体に対して固定された所定支持軸回りに揺動自在に配置された第２揺動アームと、上記展開位置にてこの第２揺動アームの一端部を係止させるように支持部材の外周縁部に形成された係止部と、第２揺動アームの一端部がこの係止部にて係止された状態で第２揺動アームの他端部により作動させられて上記開閉駆動手段の作動を制御する第２スイッチとからなる、構成を採用することができる。
この構成においては、開閉駆動手段により支持部材が回転させられて、所定回転角度位置に達すると、第１あるいは第２検知手段を構成する第１あるいは第２揺動アームの一端部が支持部材の外周縁部に形成された係止部に係止され、第１あるいは第２揺動アームの他端部が第１あるいは第２スイッチに作用して、開閉駆動手段による支持部材の駆動を停止させる。
【００２５】
上記構成のからくり時計において、上記第１揺動アーム及び第２揺動アームの一端部には係合ピンが設けられ、上記支持部材に形成された係止部が、径方向外側に向けてテーパ状に拡開するテーパ状凹部である、構成を採用することができる。
この構成においては、支持部材が所定回転角度位置に達すると、それぞれの係合ピンがテーパ状凹部のテーパ面に係合しつつ滑らかにその凹部領域に至る。
【００２６】
【発明の実施の形態】
以下、本発明のからくり時計に係る実施の形態について、説明上の便宜のため一部透視図として示された添付図面に基づき説明する。
図１ないし図３は、本発明のからくり時計に係る一実施形態を示すものであり、図１はその正面図、図２は後述する開閉駆動手段により文字板が分離されて１８０°自転及び公転した状態を示す正面図、図３は図１中のＥ−Ｅ部における縦断面図である。この実施形態に係るからくり時計１は、外側輪郭を画定する筐体２と、この筐体２の前方を塞ぐガラス３と、所定軸すなわち長針４ａ及び短針４ｂ等の回転軸５を通る線Ｌにて２つに分割された開閉蓋体を形成する分割片としての左側文字板６ａ及び右側文字板６ｂからなる文字板６と、この文字板６の背後に収納された装飾体７と、この装飾体７のさらに背後に位置する回転体あるいは支持部材としての回転板２０と、文字板６の下方に位置して鉛直軸回りに回転する回転飾り９と、左側文字板６ａ及び右側文字板６ｂを自転及び回転軸５回りに公転させつつ開閉動作を行なわせる開閉駆動手段（不図示）と、長針４ａ及び短針４ｂ等を駆動するムーブメント（不図示）等を、その基本構成として備えている。
【００２７】
上記筐体２の後方側には、図４ないし図６に示すように、この筐体２に対して固定された固定板１０が配置されており、この固定板１０の前方には、所定間隔を開けて支持部材としての円形輪郭をなす回転板２０が配置されており、この回転板２０は、固定板１０側に位置する第１回転板２１とこの第１回転板２１と所定間隔を開けて積層されると共に第１回転板２１と一体的に回転するように結合された第２回転板２２との２段構成になっている。
【００２８】
上記第１回転板２１及び第２回転板２２は、固定板１０から前方に向けて突出するように固定板１０に嵌着して固定されかつ指針４（４ａ，４ｂ）の回転軸５を案内する円筒状パイプ２３に、それらの中心孔２１ａ，２２ａが外嵌されて、この円筒状パイプ２３回りに回動自在となっている。また、第１回転板２１の背面には、この第１回転板２１の回転軸と同軸に被駆動歯車２４が固着されており、この被駆動歯車２４には、固定板１０の背面に配置された駆動源としてのモータ２５、このモータ２５のスピンドルに固着された駆動歯車２５ａ、２段歯車２６ａ及び小歯車２６ｂ〜２６ｅからなる歯車列２６を介して、回転駆動力が付与されるようになっている。すなわち、モータ２５の回転により、第１回転板２１及び第２回転板２２が、指針４の回転軸５と同軸回りに回転するようになっている。さらに、固定板１０に設けられたローラ１１により、第１回転板２１の外周縁部が支持されて、その回転動作がスムーズに行なわれるようになっている。尚、上記円筒状パイプ２３の内部に挿通された回転軸５の後端部には、固定板１０の背面に固定されたムーブメントＭが配置されており、このムーブメントＭにより、指針４の作動が制御されるようになっている。
【００２９】
上記第１回転板２１と第２回転板２２との間には、上記円筒状パイプ２３に外嵌して回動不能に固着された太陽歯車３０が配置されており、この太陽歯車３０に噛み合うように、周方向において略等間隔に４個の遊星歯車３１が配置され、これら遊星歯車３１の中心部に形成された軸部３１ａが、第１回転板２１及び第２回転板２２に形成された軸受孔２１ｂ，２２ｂに嵌入されて回動自在に支持されている。また、上記４個の遊星歯車３１のそれぞれの間には、同様に太陽歯車３０に噛み合うように４個の装飾体用歯車３２が配置され、これら装飾体用歯車３２の中心部に形成された軸部３２ａが、第１回転板２１及び第２回転板２２に形成された軸受孔２１ｃ，２２ｃに嵌入されて回動自在に支持されている。
【００３０】
上記遊星歯車３１の軸部３１ａは、その端部が第２回転板２２の前面から突出しており、この端部には、回転軸５の軸線方向（前後方向）において段差を有する連結部材としてのクランク部材３３の一端部３３ａが固着されている。一方、上記クランク部材３３の他端部３３ｂは、連結孔３３ｂ’をもつ環状部として形成され、この環状部の連結孔３３ｂ’が、左側文字板６ａ及び右側文字板６ｂの背面から突出するように形成された円柱状の連結軸６ｃに外嵌され、回動自在に連結されている。
【００３１】
上記４個のクランク部材３３は、左側文字板６ａ及び右側文字板６ｂが接合した閉状態において、図４に示すように、上下それぞれ一対の他端部３３ｂ同士が近接し一直線状に並ぶように配置されている。
【００３２】
上記回転軸５と同軸にて筐体２に対し回動不能に固定された太陽歯車３０、この太陽歯車３０に噛合する遊星歯車３１、遊星歯車３１の回転中心部である軸部３１ａに一端部３３ａが固定されかつ他端部３３ｂが軸部３１ａから偏倚した位置にて分割片である左側文字板６ａ及び右側文字板６ｂそれぞれに回動自在に連結されたクランク部材３３、第１回転板２１及び第２回転板２２からなる回転板２０、モータ２５、駆動歯車２５ａ、歯車列２６、被駆動歯車２４等により、開閉蓋体としての文字板６を形成する左側文字板６ａ及び右側文字板６ｂを自転及び回転軸５回りに公転させつつ開閉動作を行なわせる開閉駆動手段が構成されている。
【００３３】
また、図４及び図６に示すように、第１回転板２１及び第２回転板２２と左側文字板６ａ及び右側文字板６ｂとの間には、上述クランク部材３３と同様のクランク形状をなし、左側文字板６ａ及び右側文字板６ｂが回転軸５の軸線方向（前後方向）に振れるのを防ぐように拘束する拘束手段すなわち第２連結部材としての２個の第２クランク部材３４が配置されている。この２個の第２クランク部材３４は、それぞれ線Ｌに対して対称な位置に、かつ、左側文字板６ａ及び右側文字板６ｂが接合した閉状態において、各々の他端部３４ｂが近接するように配置され、又、その一端部３４ａは、第１回転板２１及び第２回転板２２に回動自在に連結され、他端部３４ｂは、それぞれ左側文字板６ａ及び右側文字板６ｂに回動自在に連結されている。
【００３４】
このような第２クランク部材３４を設けたことにより、特に、開いた状態にある左側文字板６ａ及び右側文字板６ｂの振れすなわちガタツキが抑制あるいは防止される。
【００３５】
さらに、図７に示すように、第２回転板２２と左側文字板６ａ及び右側文字板６ｂとの間には、略円形状をなし種々の飾りが施してある４個の装飾体７が配置されており、この装飾体７は、装飾体用歯車３２の軸部３２ａすなわち第２回転板２２の前面から突出する軸部３２ａの端部に固着されている。したがって、モータ２５の回転により、回転板２０（２１，２２）が回転させられると、この装飾体用歯車３２の自転及び公転により、装飾体７は、自転すると共に回転軸５の回りに公転することになる。
【００３６】
上記装飾体７を配置するにあたって、遊星歯車３１と文字板６とを連結する連結部材として上記クランク部材３３、あるいは、文字板６の振れを防止する第２連結部材として上記第２クランク部材３４を採用していることから、文字板６と第２回転板２２との間において十分な空間を確保することができ、この空間の所定位置に装飾体７を容易に配置することができる。
【００３７】
上記固定板１０の背面外周領域には、図８に示すように、固定板１０に植設された支持軸４１には、揺動自在となるように揺動アーム４２が配置されており、その一端部４２ａには、固定板１０に形成された開口部（不図示）を通り抜けて第１回転板２１の前方まで達する係合ピン４２ａ’が設けられている。また、その他端部４２ｂは、固定板１０に固着されたスイッチ４３に係合し得るようになっている。
【００３８】
一方、第１回転板２１の外周縁部には、径方向外側に向けてテーパ状に拡開する係止部としてのテーパ状凹部４４が形成されており、左側文字板６ａ及び右側文字板６ｂが接合して閉じた状態で、このテーパ状凹部４４に上記係合ピン４２ａ’が入り込み、すなわち、揺動アーム４２がＲ方向に回動して、その他端部４２ｂがスイッチ４３から離脱ないしは他端部４２ｂによる押圧力が低下し、スイッチ４３がオフとされ、モータ２５の回転を停止させるようになっている。尚、揺動アーム４２がＲ方向と逆回りに回動すると、再び他端部４２ｂがスイッチ４３に係合ないしは押圧して、スイッチ４３がオンとされる。
【００３９】
さらに、第１回転板２１の背面から突出するように植設された支持軸４５には、揺動自在となるように案内用揺動レバー４６が配置されており、この案内用揺動レバー４６の揺動端側には、外側に向けて開口する案内溝４６ａが形成されると共にこの揺動端部４６ｂの両外側外周面は湾曲するように形成され、又、略中央部には、揺動方向に伸長する長孔４６ｃが形成されている。また、この長孔４６ｃには、第１回転板２１に植設されその背面から突出するストッパピン４７が遊挿されており、この案内用揺動レバー４６は、所定の範囲で揺動するように規制されている。さらに、上記揺動端部４６ｂは、第１回転板２１の外周面よりも僅かに径方向外側に突出している。
【００４０】
すなわち、第１回転板２１が、図９に示すように、Ｒ１方向に回転して揺動アーム４２の係合ピン４２ａ’がテーパ状凹部４４に近づくと、この係合ピン４２ａ’が先ず案内用揺動レバー４６の右側の揺動端部４６ｂに当接（係合）し、案内用揺動レバー４６をＲ１方向と逆向きに揺動させる。そして、長孔４６ｃの右側面がストッパピン４７に当接してそれ以上の揺動が禁止されると、係合ピン４２ａ’は右側の揺動端部４６ｂの外周面に乗り上げ、さらに第１回転板２１がＲ１方向に回転すると、図１０に示すように、係合ピン４２ａ’は右側の揺動端部４６ｂから離脱して案内溝４６ａに案内され、テーパ状凹部４４の略中央部に入り込む。
【００４１】
一方、第１回転板２１が、図１１に示すように、逆向きのＲ２方向に回転して揺動アーム４２の係合ピン４２ａ’がテーパ状凹部４４に近づくと、前述同様に、この係合ピン４２ａ’が先ず案内用揺動レバー４６の左側の揺動端部４６ｂに当接（係合）し、案内用揺動レバー４６をＲ２方向と逆向きに揺動させる。そして、長孔４６ｃの左側面がストッパピン４７に当接してそれ以上の揺動が禁止されると、係合ピン４２ａ’は左側の揺動端部４６ｂの外周面に乗り上げ、さらに第１回転板２１がＲ２方向に回転すると、図１２に示すように、係合ピン４２ａ’は左側の揺動端部４６ｂから離脱して案内溝４６ａに案内され、テーパ状凹部４４の略中央部に入り込む。
【００４２】
以上のように、案内用揺動レバー４６を設けたことにより、第１回転板２１がいずれの方向に回転する場合であっても、係合ピン４２ａ’は、テーパ状凹部４４の略中央部に入り込み、これにより、所定のタイミングにて確実にスイッチ４３をオフにすることができる。
【００４３】
上記揺動アーム４２、揺動アーム４２の一端部４２ａに設けられた係合ピン４２ａ’、係止部としてのテーパ状凹部４４、モータ２５の作動をオン／オフ制御するスイッチ４３等により、回転体としての第１回転板２１あるいは開閉蓋体すなわち文字板６（６ａ，６ｂ）が、所定回転角度位置に達したことを、あるいは、閉状態にある休止位置から開状態にある動作位置に移動させられ再び休止位置に復帰したことを検知する検知手段４０が構成されている。
【００４４】
尚、上記同様の揺動アーム、係合ピン、テーパ状凹部、スイッチ等の組み合わせを別個に設けて、文字板６（６ａ，６ｂ）が例えば１８０°自転及び公転した位置、すなわち、最も開いた状態に達したことを検知する検知手段を形成し、この状態でモータ２５を停止させてこの開状態を保持する構成を採用することも可能である。この構成によれば、消費者向けに展示するような場合に、このからくり時計のからくりの一態様すなわち装飾体７が出現した状態を明確に見せることができる。
【００４５】
上記文字板６を形成する左側文字板６ａには、図１３に示すように、その背面上方領域でかつ分割面近傍領域に、後方に向けて突出する第１ストッパ片５１が固着されており、一方、上記文字板６を形成する右側文字板６ｂには、その背面上方領域でかつ分割面近傍領域に、後方に向けて突出する支持軸５２に対して第１位置決めレバー５３が揺動自在に設けられている。この第１位置決めレバー５３には、その揺動端側に係合片５３ａが形成され、又、略中央部に揺動方向に伸長する長孔５３ｂが形成されており、右側文字板６ｂの背面から突出するストッパピン５４がこの長孔５３ｂに遊挿されて、第１位置決めレバー５３の揺動動作を所定範囲に規制している。
【００４６】
また、上記文字板６を形成する右側文字板６ｂには、図１３に示すように、その背面下方領域でかつ分割面近傍領域に、後方に向けて突出する第２ストッパ片５５が固着されており、一方、上記文字板６を形成する左側文字板６ａには、その背面下方領域でかつ分割面近傍領域に、後方に向けて突出する支持軸５６に対して第２位置決めレバー５７が揺動自在に設けられている。この第２位置決めレバー５７には、その揺動端側に係合片５７ａが形成され、又、略中央部に揺動方向に伸長する長孔５７ｂが形成されており、左側文字板６ａの背面から突出するストッパピン５８がこの長孔５７ｂに遊挿されて、第２位置決めレバー５７の揺動動作を所定範囲に規制している。
【００４７】
上記構成において、前述の開閉駆動手段により開閉駆動されて、左側文字板６ａ及び右側文字板６ｂが、図１３中右回りに回転駆動されると、閉状態の休止位置から開状態の動作位置を経て再び閉状態の休止位置に近づく際に、図１３に示すように、第１ストッパ片５１の下側面５１ｂが第１位置決めレバー５３の係合片５３ａの上側面５３ａ’に係合し、又、第２ストッパ片５５の上側面５５ａが第２位置決めレバー５７の係合片５７ａの下側面５７ａ’’に係合する。そして、長孔５３ｂの上側面及び長孔５７ｂの下側面がそれぞれストッパピン５４，５８に当接した位置、すなわち、左側文字板６ａ及び右側文字板６ｂの分割面が上下方向において一致した位置にて、この左側文字板６ａ及び右側文字板６ｂがお互いに位置決めされることになる。
【００４８】
また、上記構成において、前述の開閉駆動手段により開閉駆動されて、左側文字板６ａ及び右側文字板６ｂが、図１３中左回りに回転駆動されると、閉状態の休止位置から開状態の動作位置を経て再び閉状態の休止位置に近づく際に、第１ストッパ片５１の上側面５１ａが第１位置決めレバー５３の係合片５３ａの下側面５３ａ’’に係合し、又、第２ストッパ片５５の下側面５５ｂが第２位置決めレバー５７の係合片５７ａの上側面５７ａ’に係合する。そして、長孔５３ｂの下側面及び長孔５７ｂの上側面がそれぞれストッパピン５４，５８に当接した位置、すなわち、左側文字板６ａ及び右側文字板６ｂの分割面が上下方向において一致した位置にて、この左側文字板６ａ及び右側文字板６ｂがお互いに位置決めされることになる。
【００４９】
上記第１ストッパ片５１及び第１位置決めレバー５３、第２ストッパ片５５及び第２位置決めレバー５７等により、開閉蓋体である左側文字板６ａ及び右側文字板６ｂが、休止位置に復帰して閉状態となる際に、この左側文字板６ａ及び右側文字板６ｂ同士の分割面の位置決めをする第１の位置決め手段５０が形成されている。
【００５０】
また、上記左側文字板６ａ及び右側文字板６ｂの背面上で分割面領域には、閉状態にて上下方向に長尺でかつ水平方向に往復動する２つの付勢レバー６１，６２が配置されている。この付勢レバー６１，６２は、その略中央部において水平方向に伸長する長孔６１ａ，６２ａが形成されており、この長孔６１ａ，６２ａに対して、左側文字板６ａ及び右側文字板６ｂから後方に向かって突出する案内ピン６３，６４が遊嵌されて、この長孔６１ａ，６２ａの伸長方向に、往復動自在となっている。
【００５１】
また、上記付勢レバー６１，６２の両端側には、係合片６１ｂ，６２ｂが形成されており、又、この係合片６１ｂ，６２ｂの一部には係合突起６１ｃ，６２ｃが形成されている。一方、前述クランク部材の他端部３３ｂの外周面にも、係合突起６７，６８が一体的に形成されている。
【００５２】
さらに、上記案内ピン６３，６４と付勢レバー６１，６２との間には、付勢バネ６５，６６設けられており、閉状態において、上記係合突起６１ｃと係合突起６７とが係合しかつ係合突起６２ｃと係合突起６８とが係合するように、閉状態以外の状態において、係合片６１ｂ及び係合片６２ｂと他端部３３ｂの外周面とが係合するように、付勢レバー６１，６２が付勢されている。
【００５３】
すなわち、左側文字板６ａ及び右側文字板６ｂの連結軸６ｃとクランク部材３３の他端部３３ｂに形成された連結孔３３ｂ’との間には、連結状態で若干の隙間が存在すため、特に、閉状態において、上記付勢レバー６１，６２が、この隙間を吸収するように左側文字板６ａ及び右側文字板６ｂをお互いに近付けるように付勢し、分割面間に隙間が極力生じないように両分割面を密着させる。
尚、上記隙間は、製造技術上の寸法のバラツキ等を吸収するために必要なものである。
【００５４】
上記構成においては、左側文字板６ａ及び右側文字板６ｂが、図１３中右回りに回転して再び閉状態の休止位置に復帰する場合に、係合突起６７と係合突起６１ｃとの係合により、左側文字板６ａが下向きに押圧され、又、係合突起６８と係合突起６２ｃとの係合により、右側文字板６ｂが上向きに押圧され、左側文字板６ａ及び右側文字板６ｂの分割面の位置決めがより一層高精度に行なわれることになる。
【００５５】
同様に、左側文字板６ａ及び右側文字板６ｂが、図１３中左回りに回転して再び閉状態の休止位置に復帰する場合に、係合突起６７と係合突起６１ｃとの係合により、左側文字板６ａが上向きに押圧され、又、係合突起６８と係合突起６２ｃとの係合により、右側文字板６ｂが下向きに押圧され、左側文字板６ａ及び右側文字板６ｂの分割面の位置決めがより一層高精度に行なわれることになる。
【００５６】
上記付勢レバー６１，６２、付勢バネ６５，６６、係合突起６１ｃ，６２ｃ及び係合突起６７，６８等により、開閉蓋体である左側文字板６ａ及び右側文字板６ｂが、休止位置に復帰して閉状態となる際に、この左側文字板６ａ及び右側文字板６ｂ同士の分割面の位置決めをする第２の位置決め手段６０が形成されている。
【００５７】
また、第１回転板２１の背面には、図１４に示すように、ストッパピン７１が後方に向け突出して形成され、固定板１０の前面には、植設された支持軸７２に対して揺動レバー７３が揺動自在に設けられている。この揺動レバー７３には、その揺動端部側に係合片７３ａが形成され、又、略中央部に長孔７３ｂが形成されており、この長孔７３ｂには、固定板１０に植設されたストッパピン７４が遊嵌されて、揺動レバー７３の揺動動作が所定範囲に規制されている。
【００５８】
すなわち、第１回転板２１が、図１４に示すように右回りに回転させられて文字板６が再び閉状態となる休止位置に復帰する際に、この休止位置において、長孔７３ｂの右側面にストッパピン７４が当接して、それ以上の揺動が禁止された状態にある揺動レバー７３の係合片７３ａ右側面に、ストッパピン７１が当接し、第１回転板２１のそれ以上の回転が防止される。これにより、休止位置において、第１回転板２１すなわち文字板６を確実に停止させることができる。
【００５９】
第１回転板２１が、図１４とは逆回りに回転させられて文字板６が再び閉状態となる休止位置に復帰する際には、この休止位置において、長孔７３ｂの左側面にストッパピン７４が当接して、それ以上の揺動が禁止された状態にある揺動レバー７３の係合片７３ａ左側面に、ストッパピン７１が当接し、第１回転板２１のそれ以上の回転が防止される。これにより、休止位置において、第１回転板２１すなわち文字板６を確実に停止させることができる。
【００６０】
次に、本実施形態に係るからくり時計の動作について説明する。
図１５に示すように、文字板６（６ａ，６ｂ）が閉状態すなわち休止位置にある状態で、所定の時刻例えば正時になると、制御部（不図示）により駆動信号が発せられて、モータ２５が一方向に回転し、歯車列２６を介して被駆動歯車２４及び回転板２０（２１，２２）が例えば図１５中右回りに回転し始める。
【００６１】
この回転板２０の右回り回転により、遊星歯車３１は太陽歯車３０の回りを自転しつつ公転し、又、クランク部材３３も同様に右回りに自転しつつ公転することになる。このクランク部材３３の右回り回転により、右側文字板６ｂは右回り下向きに自転しつつ回転軸５の回りを公転し、一方、左側文字板６ａは右回り上向きに自転しつつ回転軸５の回りを公転する。
【００６２】
そして、９０°公転したところで、図１６に示すように、右側文字板６ｂが下側で横向きに位置付けられ、一方、左側文字板６ａが上側で横向きに位置付けられて、文字板６は半開きの状態となり、背後に収納された装飾体７が出現し始める。この時、装飾体７は、装飾体用歯車３２の右回り回転により、回転軸５の回りを右回りに自転しつつ公転している。
【００６３】
回転板２０がさらに回転して、文字板６が１８０°公転した位置に達すると、図１７に示すように、右側文字板６ｂは逆さまになって左側に位置付けられ、一方、左側文字板６ａは逆さまになって右側に位置付けられて、文字板６は全開の状態となり、背後に収納された装飾体７が完全に出現する。この際、装飾体７は、前述同様に回転軸５の回りを右回りに自転しつつ公転している。
【００６４】
回転板２０がさらに回転して、文字板６が３６０°近くまで公転すると、左側文字板６ａと右側文字板６ｂとがお互いに近づいて接合する際に、第１ストッパ片５１及び第１位置決めレバー５３、第２ストッパ片５５及び第２位置決めレバー５７等からなる第１の位置決め手段５０が、この左側文字板６ａ及び右側文字板６ｂ同士の分割面の位置決めをする。
【００６５】
また、同時に、付勢レバー６１，６２、付勢バネ６５，６６、係合突起６１ｃ，６２ｃ及び係合突起６７，６８等からなる第２の位置決め手段６０が、左側文字板６ａと右側文字板６ｂとがお互いに近づいて接合する際に、左側文字板６ａを上側から押し下げるように付勢し、又、右側文字板６ｂを下側から押し上げるように付勢する。これにより、上記第１の位置決め手段５０による両者の分割面の位置決めがより高精度に行なわれることになる。
【００６６】
そして、文字板６が３６０°公転すると、検知手段４０すなわち揺動アーム４２の係合ピン４２ａ’が、案内揺動レバー４６により案内されつつ第１回転板２１のテーパ状凹部４４に入り込み、スイッチ４３をオフにしてモータ２５の作動を停止させる。
【００６７】
この時、上記第１の位置決め手段５０及び第２の位置決め手段６０により、左側文字板６ａと右側文字板６ｂとは確実に位置決めされており、又、第１回転板２１のストッパピン７１が固定板１０の揺動レバー７３の係合片７３ａに当接して、それ以上の回転が禁止され、文字板６は閉状態である休止位置に高精度に位置決め保持されることになる。
【００６８】
上記正時等の文字板６の開閉動作は、上記行程で終了させてもよく、あるいは、上記文字板６の右回りの回転に続いて、逆向きの左回りの回転を行なわせ再び休止位置に達したところで終了させることもできる。この場合の左回りの動作も基本的には前述右回りの動作と同様であり、ここでの説明は省略する。
【００６９】
以上述べた実施形態においては、文字板６を２分割としたが、これに限るものではなく、例えば、さらに水平方向に分割して４分割とし、各々の分割片を１つのクランク部材３３と１つの第２クランク部材３４に連結する構成を採用することもできる。
【００７０】
次に、本発明に係るからくり時計の他の実施形態について説明する。
この実施形態に係るからくり時計は、回転板２０（第１回転板２１）あるいは文字板６（６ａ，６ｂ）が所定回転角度位置に達したこと等を検知する検知手段及びその制御方法等を変更した以外は、前述の実施形態と同様の構成とするものである。
【００７１】
この実施形態においては、図１８及び図１９に示すように、前述の実施形態における２段歯車２６ａに代えて、スリップ機構付きの２段歯車１２６が採用されている。この２段歯車１２６は、モータ２５のスピンドルに固着された駆動歯車２５ａに噛合する大径歯車１２６ａと、この大径歯車１２６ａと同軸に配置されて後続の小歯車２６ｂに噛合する小径歯車１２６ｂと、小径歯車１２６ｂのシャフト１２６ｃの外周に外嵌されて大径歯車１２６ａ及び小径歯車１２６ｂの側面に付勢力を及ぼし両者を摩擦力により一体的に回転するように作用するコイルスプリング１２６ｄとにより形成されている。すなわち、このコイルスプリング１２６ｄにより生じる摩擦力を超えるような抵抗あるいは負荷が加わった場合に、大径歯車１２６ａと小径歯車１２６ｂとの間にスリップを生じるようになっている。
尚、スリップ機構としては、上記の構成に限るものではなく、小径歯車のシャフトを所定の付勢力で挟み込むような一対のスプリング片を、大径歯車に一体的に形成した構成を採用して両者間の回転力を伝達させるようにし、回転を阻止するような所定以上の負荷が加わった際に両者の歯車間に相対的なすべりを生じるような構成を採用することもできる。
【００７２】
また、検知手段としては、前述の実施形態のような案内用揺動レバー４６、支持軸４５、ストッパピン４７等は採用されておらず、図２０に示すように、第１回転板２１の外周縁部において、前述実施形態におけるテーパ状凹部４４よりもより緩やかな傾斜をなす係止部としてのテーパ状凹部１４４が形成されており、固定板１０の背面外周領域には、固定板１０に植設された支持軸１４１に対して揺動自在となるように第１揺動アーム１４２が配置されており、その一端部１４２ａには、固定板１０に形成された開口部（不図示）を通り抜けて第１回転板２１の前方まで達する係合ピン１４２ａ’が設けられている。また、その他端部１４２ｂは、固定板１０に固着された第１スイッチ１４３のスイッチレバー１４３ａに係合し得るようになっている。
【００７３】
これら第１揺動アーム１４２、テーパ状凹部１４４、第１スイッチ１４３等は、正時モードにおいて、第１回転板２１あるいは開閉蓋体である文字板６（６ａ，６ｂ）が、所定回転角度位置に達したことを、あるいは、閉状態すなわち休止位置の直前位置に復帰したことを検知する第１検知手段１４０として機能するものである。
すなわち、第１回転板２１が回転して、第１揺動アーム１４２の係合ピン１４２ａ’がテーパ状凹部１４４に入り込むと、第１揺動アーム１４２の他端部１４２ｂが第１スイッチ１４３のスイッチレバー１４３ａから離脱ないしは他端部１４２ｂによる押圧力が低下して第１スイッチ１４３がオフとされ、モータ２５の回転を停止させるようになっている。尚、第１揺動アーム１４２が逆回りに揺動すると、再び他端部１４２ｂが第１スイッチ１４３のスイッチレバー１４３ａに係合ないしは押圧して、第１スイッチ１４３がオンとされる。
【００７４】
また、固定板１０の背面外周領域でかつ前述の支持軸１４１に対して中心角で１８０°離れた領域には、図１８に示すように、支持軸１５１が植設されており、この支持軸１５１に対して揺動自在となるように第２揺動アーム１５２が配置されており、その一端部１５２ａには、固定板１０に形成された開口部（不図示）を通り抜けて第１回転板２１の前方まで達する係合ピン１５２ａ’が設けられている。また、その他端部１５２ｂは、固定板１０に固着された第２スイッチ１５３のスイッチレバー１５３ａに係合し得るようになっている。
【００７５】
これら第２揺動アーム１５２、テーパ状凹部１４４、第２スイッチ１５３等は、消費者向けに展示するような場合の展示モードにおいて、第１回転板２１あるいは開閉蓋体である文字板６（６ａ，６ｂ）が、所定回転角度位置（略１８０°自転及び公転した位置）に達して展開位置に至ったことを検知する第２検知手段１５０として機能するものである。
すなわち、第１回転板２１が回転して、第２揺動アーム１５２の係合ピン１５２ａ’がテーパ状凹部１４４に入り込むと、第２揺動アーム１５２の他端部１５２ｂが第２スイッチ１５３のスイッチレバー１５３ａから離脱ないしは他端部１５２ｂによる押圧力が低下して第２スイッチ１５３がオフとされ、文字板６が閉じた状態から略１８０°自転及び公転して両側に開いた状態のところで、モータ２５の回転を停止させるようになっている。
【００７６】
ここで、第２揺動アーム１５２の他端部１５２ｂとスイッチレバー１５３ａとの係合関係と、第１揺動アーム１４２の他端部１４２ｂとスイッチレバー１４３ａとの係合関係とにおいては、第１回転板２１が所定の速度で回転する際に、第２スイッチ１５３のオフ作動タイミングが、第１スイッチ１４３のオフ作動タイミングに比べて０．５秒程遅延するように形成されている。
このような遅延設定を行なうにあたり、第２揺動アーム１５２の係合ピン１５２ａ’がテーパ状凹部１４４に入り込むタイミングを、第１揺動アーム１４２の係合ピン１４２ａ’の場合に比べて０．５秒程遅延させるように、例えば第２揺動アーム１５２の一端部１５２ａをより長めにした構成等を採用することも可能である。
【００７７】
続いて、本実施形態に係るからくり時計の正時モードにおける動作について説明する。
図１５に示すように、文字板６（６ａ，６ｂ）が閉状態すなわち休止位置にある状態で、所定の時刻例えば正時になると、制御手段としての制御部（不図示）により駆動信号が発せられて、モータ２５が一方向に回転し、歯車列２６を介して被駆動歯車２４及び回転板２０（２１，２２）が例えば図１５中右回りに回転し始める。
【００７８】
この回転板２０の右回り回転により、遊星歯車３１は太陽歯車３０の回りを自転しつつ公転し、又、クランク部材３３も同様に右回りに自転しつつ公転することになる。このクランク部材３３の右回り回転により、右側文字板６ｂは右回り下向きに自転しつつ回転軸５の回りを公転し、一方、左側文字板６ａは右回り上向きに自転しつつ回転軸５の回りを公転する。
【００７９】
そして、９０°公転したところで、図１６に示すように、右側文字板６ｂが下側で横向きに位置付けられ、一方、左側文字板６ａが上側で横向きに位置付けられて、文字板６は半開きの状態となり、背後に収納された装飾体７が出現し始める。この時、装飾体７は、装飾体用歯車３２の右回り回転により、回転軸５の回りを右回りに自転しつつ公転している。
【００８０】
回転板２０がさらに回転して、文字板６が１８０°公転した位置に達すると、図１７に示すように、右側文字板６ｂは逆さまになって左側に位置付けられ、一方、左側文字板６ａは逆さまになって右側に位置付けられて、文字板６は全開の状態となり、背後に収納された装飾体７が完全に出現する。この際、装飾体７は、前述同様に回転軸５の回りを右回りに自転しつつ公転している。
【００８１】
回転板２０がさらに回転して、文字板６が３６０°近くまで公転すると、左側文字板６ａと右側文字板６ｂとがお互いに近づいて接合する際に、第１ストッパ片５１及び第１位置決めレバー５３、第２ストッパ片５５及び第２位置決めレバー５７等からなる第１の位置決め手段５０が、この左側文字板６ａ及び右側文字板６ｂ同士の分割面の位置決めをする。
【００８２】
また、同時に、付勢レバー６１，６２、付勢バネ６５，６６、係合突起６１ｃ，６２ｃ及び係合突起６７，６８等からなる第２の位置決め手段６０が、左側文字板６ａと右側文字板６ｂとがお互いに近づいて接合する際に、左側文字板６ａを上側から押し下げるように付勢し、又、右側文字板６ｂを下側から押し上げるように付勢する。これにより、上記第１の位置決め手段５０による両者の分割面の位置決めがより高精度に行なわれることになる。
【００８３】
そして、文字板６が３６０°公転した休止位置の直前位置、すなわち、３６０°の公転に至る０．５秒前の位置まで公転すると、第１検知手段１４０すなわち第１揺動アーム１４２の係合ピン１４２ａ’が、第１回転板２１のテーパ状凹部１４４に入り込み、第１スイッチ１４３をオフにする。その後、制御手段としての制御部により発せられる制御信号（遅延モード信号）により、０．５秒間続けてモータ２５への通電（過回転制御）が行なわれた後、文字板６が休止位置に達したところでモータ２５の作動を停止させる。
すなわち、文字板６が３６０°の公転に至る直前で検知手段１４０により一度モータ２５を停止させ、その後、制御部から発せられる遅延モード信号により再びモータ２５を駆動して３６０°の公転に至らせる制御動作を行なわせる。
【００８４】
したがって、運動エネルギが大きい状態で急激にモータ２５を停止させるのではなく、運動エネルギを小さくした状態すなわちモータ２５により回転させられる回転板２０及び歯車列２６等の惰性力（慣性力）を予め小さくした状態で、左右の文字板６ａ，６ｂの自転及び公転による回転角度位置が確実に位置決めされ、左右の文字板６ａ，６ｂが確実に接合させられる。また、２段歯車１２６に設けられたスリップ機構により、過回転制御により生じる過分な回転力が吸収されて、左右の文字板６ａ，６ｂ相互の間に生じるキシミ音等が防止される。
【００８５】
また、この時、上記第１の位置決め手段５０及び第２の位置決め手段６０により、左側文字板６ａと右側文字板６ｂとは確実に位置決めされており、又、第１回転板２１のストッパピン７１が固定板１０の揺動レバー７３の係合片７３ａに当接して、それ以上の回転が禁止され、文字板６は閉状態である休止位置に高精度に位置決め保持されることになる。
【００８６】
上記正時等の文字板６の開閉動作は、上記行程で終了させてもよく、あるいは、上記文字板６の右回りの回転に続いて、逆向きの左回りの回転を行なわせ再び休止位置に達したところで終了させることもできる。この場合の左回りの動作も基本的には前述右回りの動作と同様であり、ここでの説明は省略する。
【００８７】
尚、この実施形態においては、スリップ機構付きの２段歯車１２６を採用したが、スリップ機構を備えない前述実施形態の２段歯車２６ａを採用し、又、第１回転板２１に形成する係止部として、上記テーパ状凹部１４４よりもさらに傾斜が緩やかなテーパ状凹部（不図示）を設け、第１揺動アーム１４２の係合ピン１４２ａ’が、このテーパ状凹部に滑らかに滑り込んでいくようにした構成を採用することも可能である。
この構成により、第１スイッチ１４３がオフ動作を行なった後、０．５秒間の過回転（オーバーラン回転）の際に、第１揺動アーム１４２の係合ピン１４２ａ’がゆっくりした速度でテーパ状凹部内に滑り込み、その略中央部まで達して停止する。
この動作により、物理的な衝撃力が緩和されて、キシミ音あるいは文字板６の横振れ等を防止しつつ、左右の文字板６（６ａ，６ｂ）を確実に接合させることができる。
【００８８】
続いて、本実施形態に係るからくり時計の展示モードにおける動作について説明する。
先ず、図１５に示すように、文字板６（６ａ，６ｂ）が閉状態すなわち休止位置にある状態で、固定板の裏面に配置されたモード切り替えスイッチ（不図示）を切り換えて、正時モードから展示モードにする。すると、制御部（不図示）により駆動信号が発せられて、モータ２５が一方向に回転し、歯車列２６を介して被駆動歯車２４及び回転板２０（２１，２２）が例えば図１５中右回りに回転し始める。
【００８９】
この回転板２０の右回り回転により、遊星歯車３１は太陽歯車３０の回りを自転しつつ公転し、又、クランク部材３３も同様に右回りに自転しつつ公転することになる。このクランク部材３３の右回り回転により、右側文字板６ｂは右回り下向きに自転しつつ回転軸５の回りを公転し、一方、左側文字板６ａは右回り上向きに自転しつつ回転軸５の回りを公転する。
【００９０】
そして、文字板６が略１８０°公転した展開位置、すなわち、１８０°の公転に至る０．１秒前の位置まで公転すると、第２検知手段１５０すなわち第２揺動アーム１５２の係合ピン１５２ａ’が、第１回転板２１のテーパ状凹部１４４に入り込み、第２スイッチ１５３をオフにする（この場合、第２揺動アーム１５２は、第１回転板２１の回転動作に対して、第１揺動アーム１４２の作動タイミングに比べ０．４秒程遅れて作動する）。と同時に、開閉駆動手段の惰性による駆動力を消滅させて開閉蓋体を所定位置に停止させる強制停止手段、すなわち、制御手段としての制御部により発せられる信号に基づいて、０．１秒の間、モータ２５に対して所定の逆起電力が加えられる。
【００９１】
このような電気的ブレーキを施す制御動作により、モータ２５及び第１回転板２１の惰性による過回転（オーバーラン回転）が防止されて、左右の文字板６ａ，６ｂは略１８０°公転した位置で確実に停止させられる。したがって、図１７に示すように、右側文字板６ｂは逆さまになって左側に位置付けられ、一方、左側文字板６ａは逆さまになって右側に位置付けられて、文字板６は全開の状態となり、背後に収納された装飾体７が完全に出現した状態となる。
これにより、消費者等は、からくりの一態様すなわち装飾体７が出現した状態を確実に見ることができることになる。
【００９２】
さらに、モード切り替えスイッチにより、上記展示モードから前述の正時モードに切り換えると、前述の正時モードの場合と同様に、第１検知手段１４０すなわち第１揺動アーム１４２の係合ピン１４２ａ’が、第１回転板２１のテーパ状凹部１４４に入り込み、第１スイッチ１４３をオフにする。その後、制御部により発せられる遅延モード信号により、０．５秒間続けてモータ２５への通電が行なわれた後、モータ２５の作動を停止させる。この過回転（オーバーラン回転）制御により、左右の文字板６ａ，６ｂの自転及び公転による回転角度位置を確実に位置決めして、左右の文字板６ａ，６ｂを確実に接合させると共に、２段歯車１２６に設けられたスリップ機構により、過回転制御により生じる過分な回転力を吸収して、左右の文字板６ａ，６ｂ相互の間に生じるキシミ音等が防止される。
【００９３】
【発明の効果】
以上述べたように、本発明のからくり時計によれば、駆動手段により回転体が回転させられて、所定回転角度位置に達したことを検知する検知手段を、上述揺動アーム、係止部、スイッチ等により形成した場合は、この検知手段を用いることで、上記位置を高精度に検知でき、これにより、例えば、駆動手段による回転体の駆動を停止させることができる。
上記構成のからくり時計において、揺動アームの一端部に係合ピンを設け、回転体に形成された係止部を径方向外側に向けてテーパ状に拡開するテーパ状凹部とする場合は、両者の係合を簡略な構造にて達成することができ、又、確実な係合をもたらすことができる。
上記構成のからくり時計において、検知手段に案内用揺動レバーを採用する場合は、この案内用揺動レバーにより、係合ピンがテーパ状凹部の略中央部に案内されることになり、回転角度位置を高精度に位置決めすることができる。
【００９４】
また、本発明のからくり時計によれば、例えば正時等の所定時刻になると、文字板等の開閉蓋体が自転及び所定軸回りに公転つつ開閉動作を行ない、例えば背後に装飾体が収納されている場合、この装飾体を出現させる。したがって、からくり時計としての変化の意外性が増し、優れた鑑賞性が得られる。
また、開閉蓋体を形成する分割片が自転しつつ所定軸回りに公転して開閉動作を行なう際に、検知手段により、開閉蓋体が閉状態にある休止位置から開状態にある動作位置に移動させられ再び休止位置に復帰したことを検知でき、これにより、例えば、開閉蓋体を閉状態にある所定の位置に停止させることができる。
【００９５】
また、文字板等の開閉蓋体を開閉駆動する開閉駆動手段を、太陽歯車、遊星歯車、連結部材、支持部材、駆動源等により構成した場合は、所定軸回りに構成部品を集約させることができ、これにより、時計本体の径方向における小型化が行なえる。また、開閉蓋体が閉状態の休止位置から開状態を通り再び休止位置に復帰したことを検知する検知手段を、上述揺動アーム、係止部、スイッチ等により形成した場合は、この検知手段を用いることで、上記位置を高精度に検知でき、これにより、例えば、開閉駆動手段による開閉蓋体の開閉駆動を停止させることができる。
【００９６】
また、揺動アームの一端部には係合ピンを設け、支持部材に形成された係止部を径方向外側に向けてテーパ状に拡開するテーパ状凹部とする場合は、両者の係合を簡略な構造にて達成することができ、又、確実な係合をもたらすことができる。
また、検知手段に案内用揺動レバーを採用する場合は、この案内用揺動レバーにより、係合ピンがテーパ状凹部の略中央部に案内されることになり、支持部材の回転角度位置を高精度に位置決めすることができる。
また、開閉蓋体を形成する分割片同士の分割面の位置決めをする位置決め手段を採用する場合は、開閉蓋体が休止位置に復帰して閉状態となる際に、分割片同士の分割面を高精度に位置決めすることができる。
【００９７】
さらに、本発明のからくり時計によれば、開閉駆動手段の作動により、開閉蓋体が閉状態にある休止位置から開状態にある動作位置に移動させられ再び上記休止位置の直前位置に復帰したことを第１検知手段により検知して予め開閉駆動手段の駆動を停止させ、続いて、制御手段により制御信号を発して、駆動開閉手段を再び作動させて開閉蓋体を閉じた休止位置まで復帰させるようにしたことから、開閉駆動手段の惰性力（慣性力）を予め小さくした状態で、開閉蓋体の接合を行なわせることができる。これにより、開閉蓋体のキシミ音等を極力防止することができる。
【００９８】
また、開閉駆動手段の作動により、開閉蓋体が閉状態にある休止位置から所定角度公転した展開位置に達したことを検知する第２検知手段を採用した場合は、消費者に対して開閉蓋体が開いた状態を見せることができる。
また、第２検知手段に加えて、強制停止手段を採用した場合は、開閉駆動手段の惰性による駆動力を消滅させることで、開閉蓋体を所定の展開位置に確実に停止させることができる。
【００９９】
また、開閉駆動手段を、太陽歯車、遊星歯車、連結部材、支持部材、駆動歯車を備えたモータ及び歯車列とからなる駆動源とにより構成し、さらに歯車列の中にスリップ機構を採用した場合は、歯車列の回転を阻止するような負荷が加わった際に、この負荷をスリップ機構により逃がすことができ、これにより、機構の破損あるいは衝撃音、キシミ音等を防止することができる。
さらに、開閉駆動手段の惰性による駆動力を消滅させる強制停止手段を採用した場合は、ストッパ等の機械的な停止手段がなくても、開閉蓋体を所定の展開位置にて確実に停止させることができる。
【図面の簡単な説明】
【図１】本発明のからくり時計を示す正面外観図である。
【図２】本発明のからくり時計を示すものであり、文字板が開いた状態での正面外観図である。
【図３】図１中のＥ−Ｅ部における縦断面図である。
【図４】本発明のからくり時計の開閉駆動手段を示す概略構成図である。
【図５】図４に示す開閉駆動手段の右側面図である。
【図６】図４に示す開閉駆動手段の底面図である。
【図７】本発明のからくり時計の一部をなす装飾体を示す正面図である。
【図８】本発明のからくり時計の一部をなす検知手段を示す正面図である。
【図９】図８に示す検知手段の作動を説明するための作動段階での状態図である。
【図１０】図８に示す検知手段の作動を説明するための作動段階での状態図である。
【図１１】図８に示す検知手段の作動を説明するための作動段階での状態図である。
【図１２】図８に示す検知手段の作動を説明するための作動段階での状態図である。
【図１３】本発明のからくり時計の一部をなす位置決め手段を示す正面図である。
【図１４】他の位置決め手段を示す正面図である。
【図１５】文字板が閉状態の休止位置ある場合を示す正面図である。
【図１６】文字板が９０°公転した動作位置にある場合を示す正面図である。
【図１７】文字板が１８０°公転した動作位置にある場合を示す正面図である。
【図１８】開閉駆動手段の他の実施形態を示す概略構成図である。
【図１９】図１８に示す開閉駆動手段におけるスリップ機構付きの２段歯車を示す概略構成図である。
【図２０】検知手段の他の実施形態を示す一部拡大正面図である。
【符号の説明】
１  からくり時計
２  筐体
４  指針
５  回転軸
６  文字板（開閉蓋体）
６ａ  左側文字板（分割片）
６ｂ  右側文字板（分割片）
７  装飾体
１０  固定板
１１  ローラ
２０  回転板（支持部材）
２１  第１回転板
２２  第２回転板
２３  円筒状パイプ
２４  被駆動歯車
２５  モータ（駆動源）
２５ａ  駆動歯車
２６  歯車列
３０  太陽歯車
３１  遊星歯車
３２  装飾体用歯車
３３  クランク部材（連結部材）
３４  第２クランク部材（第２連結部材）
４０  検知手段
４２  揺動アーム
４２ａ’  係合ピン
４３  スイッチ
４４  テーパ状凹部（係止部）
４６  案内用揺動レバー
４７  ストッパピン
５０  第１の位置決め手段
５１  第１ストッパ片
５２  第１位置決めレバー
５５  第２ストッパ片
５７  第２位置決めレバー
６０  第２の位置決めレバー
６１  付勢レバー
６１ｃ  係合突起
６２  付勢レバー
６２ｃ  係合突起
６５  付勢バネ
６６  付勢バネ
６７  係合突起
６８  係合突起
７１  ストッパピン
７３  揺動レバー
７４  ストッパピン
１２６  ２段歯車
１２６ａ  大径歯車
１２６ｂ  小径歯車
１２６ｃ  シャフト
１２６ｄ  コイルスプリング（スリップ機構）
１４０  第１検知手段
１４１  支持軸
１４２  第１揺動アーム
１４２ａ  一端部
１４２ａ’  係合ピン
１４２ｂ  他端部
１４３  第１スイッチ
１４３ａ  スイッチレバー
１４４  テーパ状凹部（係止部）
１５０  第２検知手段
１５１  支持軸
１５２  第２揺動アーム
１５２ａ  一端部
１５２ａ’  係合ピン
１５２ｂ  他端部
１５３  第２スイッチ
１５３ａ  スイッチレバー
【図１】
0003544491.tif 000002
【図２】
0003544491.tif 000003
【図３】
0003544491.tif 000004
【図４】
0003544491.tif 000005
【図５】
0003544491.tif 000006
【図６】
0003544491.tif 000007
【図７】
0003544491.tif 000008
【図８】
0003544491.tif 000009
【図９】
0003544491.tif 000010
【図１０】
0003544491.tif 000011
【図１１】
0003544491.tif 000012
【図１２】
0003544491.tif 000013
【図１３】
0003544491.tif 000014
【図１４】
0003544491.tif 000015
【図１５】
0003544491.tif 000016
【図１６】
0003544491.tif 000017
【図１７】
0003544491.tif 000018
【図１８】
0003544491.tif 000019
【図１９】
0003544491.tif 000020
【図２０】
0003544491.tif 000021